(57)【要約】【課題】切り替え回路を使用せず、２波以上の周波数で使用する空中線と通信機の間のインピーダンスの整合を得る。【解決手段】２波以上の周波数で使用する空中線と通信機の間で使用する周波数と同数のリアクタンスと直列共振回路から成る多周波整合小回路をリアクタンス整合用及び抵抗分整合用に使用した。【選択図】        図２
2004242263.tif 000002
【特許請求の範囲】
【請求項１】
空中線と通信機の間に挿入し、該空中線と該通信機の間で、使用する２波以上の周波数においてインピーダンスの整合を取る、接続入点と接続出点を持ち、かつ使用する周波数と同数のリアクタンスを直列に接続し、その一方の端を該接続入点に、さらに該リアクタンスとリアクタンスの各々の接続点及び該直列に接続したリアクタンスの他方の端と該接続出点の間に、使用する各々の周波数に対する共振点を持つ直列共振回路を接続して成る多周波整合小回路を使用して構成されることを特徴とする空中線多周波整合回路。
【発明の詳細な説明】
【０００１】
【発明の属する技術分野】
本発明は、空中線と通信機の間に挿入する空中線多周波整合回路に関するものである。
【０００２】
【従来の技術】
従来、空中線に通信機を接続し、該通信機から該空中線に電力を効率良く供給する、又は該空中線から該通信機が電力を効率良く受け取るには、該空中線の給電点インピーダンスと該通信機のインピーダンスの整合を取る必要があり、該空中線と該通信機の間に、使用する周波数で該整合が取れるインピーダンス整合回路を必要としている、また該空中線と該通信機を前述とは別の周波数で使用する場合は、該周波数で該整合が取れる前述とは別のインピーダンス整合回路を必要とし、使用する周波数を変える毎に該周波数に合ったインピーダンス整合回路を選別し切り替えている。
【０００３】
さらに切り替え回路を持たないで２波以上の各周波数で該整合を取るためのインピーダンス整合回路は、該インピーダンス整合回路の他に整合回路の選別回路を必要とし、使用する周波数が近接していると該選別回路の機能が低下する。
【０００４】
【発明が解決しようとする課題】
従来の技術で述べた、２波以上の周波数において該整合を取るための前述上段のインピーダンス整合回路は使用する周波数を切り替える毎に、該周波数に合ったインピーダンス整合回路に切り替えるための、インピーダンス整合回路の切り替え回路を付加する必要があり、コスト並びに取り付けスペースの点で問題があった。
【０００５】
さらに前述下段の切り替え回路を持たないで使用する２波以上の各周波数で該整合を取るためのインピーダンス整合回路は、使用する周波数が近接していると該整合回路の選別機能が低下し良好な整合状態が得られない問題があった。
本発明は、空中線と通信機の間に挿入し、該空中線と該通信機を２波以上の周波数で使用しても、インピーダンス整合回路を切り替える必要がなく、さらに使用する周波数が近接していても該整合が取れる回路の提供を目的としている。
【０００６】
【課題を解決するための手段】
本発明は、上記目的を達成するための回路で、空中線と通信機の間に挿入し、該空中線と通信機の間で使用する２波以上の周波数においてインピーダンスの整合を取るため、接続入点と接続出点を持ち、かつ使用する周波数と同数のリアクタンスを直列に接続し、その一方の端を該接続入点に、さらに該リアクタンスとリアクタンスの各々の接続点及び該直列に接続したリアクタンスの他方の端と該接続出点の間に、使用する各々の周波数に対する共振点を持つ直列共振回路を接続して成る多周波整合小回路を使用して構成される空中線多周波整合回路を提供するものである。
【０００７】
【発明の実施の形態】
以下、本発明について、図１及び図２の実施例図を参照しながら詳細に説明する。
図１は、該空中線と該通信機の間で使用する２波以上の周波数においてインピーダンスの整合を取るための空中線多周波整合回路の実施１例図で、また該整合を取る周波数の数は後述する多周波整合小回路Ｂにより決まる。
図１において、Ａは後述する多周波整合小回路Ｂを２回路使用した空中線多周波整合回路である。
【０００８】
図１において、ｆ１は空中線多周波整合回路Ａが該整合を取る周波数の内の１つの周波数である。
図１において、ｆ２は該周波数の内の周波数ｆ１を除いた別の１つの周波数である。
図１において、ｆ３は該周波数の内の周波数ｆ１と周波数ｆ２を除いた別の１つの周波数である。
図１において、１１は空中線多周波整合回路Ａの空中線への接続点である。
図１において、１２は空中線多周波整合回路Ａの通信機への接続点である。
図１、図２において、Ｂは後述する３波の周波数の該整合を取ることのできる多周波整合小回路である。
図１、図２において、２１は後述する多周波整合小回路Ｂの接続入点で、他回路との接続点である。
図１、図２において、２２は後述する多周波整合小回路Ｂの接続出点で、他回路との接続点である。
【０００９】
図２は、３波の周波数の該整合を取るための多周波整合小回路の実施例図である。
図２において、Ｂは、空中線多周波整合回路Ａが３波の周波数の該整合を取るために、図１の空中線多周波整合回路Ａに組み込まれる多周波整合小回路である。
図２において、Ｅ１、Ｅ２及びＥ３は該整合を取るためのリアクタンス素子で、その値は該整合を取る周波数における該空中線の給電点インピーダンスと該通信機のインピーダンス及び空中線多周波整合回路Ａの内部位置で決まり、誘導性リアクタンス又は容量性リアクタンスの値を取る、さらにリアクタンスＥ１の値は周波数ｆ１と上述の条件で、リアクタンスＥ２の値は周波数ｆ２と上述の条件で、リアクタンスＥ３の値は周波数ｆ３と上述の条件で決まる値である。
上述の該誘導性リアクタンスは、導線をコイル状に巻き作ったインダクタンス素子、プリント基板に印刷して作ったインダクタンス素子、同軸ケーブルを目的のインダクタンスの値が得られる長さに切断して作ったインダクタンス素子等使用する周波数で誘導性リアクタンスであれば良い、また該容量性リアクタンスは導板２枚を近接させて作ったキャパシタンス素子、プリント基板に印刷して作ったキャパシタンス素子、同軸ケーブルを目的のキャパシタンスの値が得られる長さに切断して作ったキャパシタンス素子等使用する周波数で容量性リアクタンスであれば良い。
【００１０】
図２において、３１はリアクタンスＥ１、リアクタンスＥ２及びリアクタンスＥ３を直列に接続した一方の端で、接続入点に接続される。
図２において、３２はリアクタンスＥ１とリアクタンスＥ２の接続点であり、後述する直列共振回路Ｆ１との接続点である。
図２において、３３はリアクタンスＥ２とリアクタンスＥ３の接続点であり、後述する直列共振回路Ｆ２との接続点である。
図２において、３４はリアクタンスＥ１、リアクタンスＥ２及びリアクタンスＥ３を直列に接続した他方の端で、後述する直列共振回路Ｆ３との接続点である。
【００１１】
図２において、Ｆ１は周波数ｆ１に対する共振点を持つ直列共振回路で、リアクタンスＥ１とリアクタンスＥ２の接続点３２と接続出点２２の間に接続される。
図２において、Ｆ２は周波数ｆ２に対する共振点を持つ直列共振回路で、リアクタンスＥ２とリアクタンスＥ３の接続点３３と接続出点２２の間に接続される。
図２において、Ｆ３は周波数ｆ３に対する共振点を持つ直列共振回路で、リアクタンスＥ１、リアクタンスＥ２及びリアクタンスＥ３を直列に接続した他方の端３４と接続出点２２の間に接続される。
さらに該直列共振回路Ｆ１、直列共振回路Ｆ２及び直列共振回路Ｆ３は何れも誘導性リアクタンスと容量性キャパシタンスを接続し作られる、また該誘導性リアクタンス及び容量性キャパシタンスは上述のリアクタンスＥ１、リアクタンンＥ２及びリアクタンスＥ３と同様の素子で作ることができる。
【００１２】
なお、上述の図１の空中線多周波整合回路Ａ及び図２の多周波整合小回路Ｂの説明は、多周波整合小回路Ｂを３波の周波数の該整合を取ることのできる回路としているので、多周波整合小回路Ｂを組み込む空中線多周波整合回路Ａは３波の周波数の該整合を取ることのできる整合回路である。さらなる該整合を取るための周波数の増減は多周波整合小回路Ｂの内部のリアクタンス素子と共振回路を該整合を必要とする周波数の数に合わせて増減することで実現できる、また整合を取る２つの周波数が非常に近接している場合はこの近接した周波数を１つの周波数とみなしても良い。
【００１３】
【発明の効果】
本発明は、上述のように構成されているので、以下に記載されるような効果を奏する。
空中線と通信機の間で使用する２波以上の周波数に対し、インピーダンス整合回路を切り替えることなくインピーダンスの整合が取れ、かつ回路間の相互干渉が起きないため使用する周波数が近接していても良好な整合がとれる。
また２波以上の周波数に対して同時に整合が取れるため、複数の周波数の同時使用ができる。
さらに本発明は、複数の周波数で使用する高周波回路と通信機の間のインピーンス整合にも使用できる。
【００１４】
【図面の簡単な説明】
【図１】請求項１の空中線多周波整合回路の実施１例図である。
【図２】多周波整合小回路の実施例図である。
【符号の説明】
Ａ        空中線多周波整合回路
ｆ１        周波数
ｆ２        周波数
ｆ３        周波数
１１        空中線への接続点
１２        通信機への接続点
Ｂ        多周波整合小回路
２１        接続入点
２２        接続出点
Ｅ１        リアクタンス素子
Ｅ２        リアクタンス素子
Ｅ３        リアクタンス素子
３１        一方の端
３２        リアクタンスＥ１とリアクタンスＥ２の接続点
３３        リアクタンスＥ２とリアクタンスＥ３の接続点
３４        他方の端
Ｆ１        直列共振回路
Ｆ２        直列共振回路
Ｆ３        直列共振回路
【図１】
2004242263.tif 000003
【図２】
2004242263.tif 000004